(57)【要約】【課題】  大口径、大視野Ｘ線ＣＴ装置において検出器補正データ収集用ファントムの小型化、軽量化を可能とすること。【解決手段】  Ｘ線ＣＴ装置において、Ｘ線管１１のＸ線照射口側に、このＸ線管と一体的に回転するように支持機構３０を設けておき、検出器の感度などを補正するための水補正データを収集する時には、この支持機構にファントム４０を保持した保持器４１を装着するようにしたもの。  これにより、検出器補正データ収集用のファントムがＸ線管のＸ線照射口の近くに取り付けられるので、撮影領域の回転中心にファントムを設置する場合に比べて、ファントムの大きさを小型化し、重量も軽量化される。そのため、ファントム設置時の作業負担が軽減され、水補正データの収集が容易となる。【選択図】      図３
2009142397.tif 000002
【特許請求の範囲】
【請求項１】
架台開口部を介して対向配置したＸ線発生手段とＸ線検出手段とを、前記架台開口部の周囲に回転させて、チャンネル方向およびスライス方向の多数の投影データを得るＸ線ＣＴ装置において、
前記Ｘ線発生手段のＸ線照射口側に、このＸ線発生手段と一体的に回転するように、検出器補正データ収集用のファントムを取り付けるための取り付け手段を設けたことを特徴とするＸ線ＣＴ装置。
【請求項２】
前記検出器補正データ収集用のファントムは、前記架台開口部に突出するように前記Ｘ線発生手段のＸ線照射口側に取り付けられることを特徴とする請求項１に記載のＸ線ＣＴ装置。
【請求項３】
前記検出器補正データ収集用のファントムは、前記取り付け手段に着脱自在に取り付けられることを特徴とする請求項１および請求項２のいずれか１項に記載のＸ線ＣＴ装置。
【請求項４】
架台開口部を介して対向配置したＸ線発生手段とＸ線検出手段とを、前記架台開口部の周囲に回転させて、チャンネル方向およびスライス方向の多数の投影データを得るＸ線ＣＴ装置における、前記Ｘ線検出手段の感度補正を行うための検出器補正データを収集する方法であって、
前記Ｘ線発生手段のＸ線照射口側近傍に、前記架台開口部に突出するように前記検出器補正データ収集用のファントムを取り付け、このファントムを前記Ｘ線発生手段と共に回転させながら、前記Ｘ線発生手段から発生し前記ファントムを透過したＸ線を前記Ｘ線検出手段によって検出することを特徴とするＸ線ＣＴ装置における検出器補正データの収集方法。
【請求項５】
架台開口部を介して対向配置したＸ線発生手段とＸ線検出手段とを、前記架台開口部の周囲に回転させて、チャンネル方向およびスライス方向の多数の投影データを得るＸ線ＣＴ装置における、前記Ｘ線検出手段の感度補正を行うための検出器補正データを収集する方法であって、
前記Ｘ線発生手段と前記Ｘ線検出手段とを対向配置した架台開口部の回転中心または、回転中心よりも前記Ｘ線発生手段側に取り付けた検出器補正データ収集用のファントムを介して、前記Ｘ線発生手段および前記Ｘ線検出手段を所定位置に停止させた状態で所定ビュー方向の水補正データを得る第１の補正データ取得段階と、
前記検出器補正データ収集用のファントムを設置しない状態で前記Ｘ線発生手段および前記Ｘ線検出手段を所定位置に停止させた状態で所定ビュー方向の空気補正データを得る第２の補正データ取得段階と、
前記検出器補正データ収集用のファントムを設置しない状態で前記Ｘ線発生手段および前記Ｘ線検出手段を回転させながら全てのビュー方向の空気補正データを得る第３の補正データ取得段階と、
前記第２の補正データ取得段階によって得た空気補正データと前記第３の補正データ取得段階によって得た空気補正データとの比を、前記第１の補正データ取得段階によって得た水補正データに乗じて、全てのビュー方向の水補正データを得る段階と
から成ることを特徴とするＸ線ＣＴ装置における検出器補正データの収集方法。
【発明の詳細な説明】
【技術分野】
【０００１】
本発明は、特に大口径、大視野Ｘ線ＣＴ装置において検出器補正データ収集用ファントムの小型化を可能とするＸ線ＣＴ装置、および大口径、大視野Ｘ線ＣＴ装置に適用して好適な検出器補正データの収集方法に関する。
【背景技術】
【０００２】
Ｘ線ＣＴ装置は、被検体へＸ線を照射するとともに、被検体を透過したＸ線を検出することにより、被検体内でのＸ線吸収係数からなる投影データを得、この投影データに基づいて、被検体内の画像を再構成するものである。そのため、被検体を透過したＸ線の強度を忠実に電気信号に変換することが重要である。そして、Ｘ線強度の電気信号への変換は、Ｘ線検出器および通常ＤＡＳ（data  acquisition  system）と呼ばれるデータ収集部で行われる。
【０００３】
Ｘ線検出器は、Ｘ線を捕捉して発光し、発光した光を捕捉して電気信号に変換するものであり、シンチレータと光電変換素子とから成るＸ線検出素子によって構成され、このＸ線検出素子がチャンネル方向に多数配列され、さらにスライス方向に１列または複数列配列されたものとなっている。一方、データ収集部は、Ｘ線検出器の光電変換素子から得られる微弱な電気信号をチャンネル毎に収集し、チャンネル毎に増幅およびＡ／Ｄ変換するものであり、そのため、データ収集素子とゲイン回路およびＡ／Ｄ変換器を備えている。
【０００４】
このように、Ｘ線ＣＴ装置においてＸ線は、Ｘ線検出器およびデータ収集部を経て検出されることになるので、Ｘ線の検出感度は、Ｘ線の光への変換特性、光から電気への光電変換特性および電気信号の増幅精度などによって決定される。そして、これらＸ線の光への変換特性、光電変換特性および増幅精度は、温度などの雰囲気や経時変化によってチャンネル毎にドリフトする。そのため、チャンネル毎に感度特性の変化の影響を取り除くための補正が施される。
【０００５】
このＸ線の検出感度の補正は、予め作成した補正データを利用して行われる。すなわち、感度特性の変化が温度などの雰囲気や経時変化によって生ずるので、定期的にその感度特性の変化に沿った補正データを作成する必要がある。そのため、原則的には撮影の都度水や樹脂などで全体が一様に形成されたファントムを撮影して補正データを取得するのが望ましいが、ファントムのセッティングが煩雑になることなどから、基準時点すなわち経時変化の起点において、ファントムを用いて補正データを取得し、その後の一定期間は、撮影対象がなにもない状態（すなわち、撮影領域に空気のみがある状態）で撮影して得たデータを用いて、基準時点でファントムを撮影して得たデータを修正して、Ｘ線検出感度の補正データとしている（例えば、特許文献１参照。）。
【０００６】
なお、ファントムを用いて補正データを得るに当たっては、被検体の撮影部位すなわち、例えば頭部、頚部、胸部、腹部、腰部などに応じて、当該撮影部位とほぼ同じ大きさのファントムを使用して、撮影部位に応じた補正データを取得することになる。また、ファントムを撮影して得た補正データを通常水補正データと称し、撮影対象がなにもない状態（すなわち空気のみがある状態）で撮影して得たデータを通常空気補正データと称する。そして、空気補正データは、Ｘ線ＣＴ装置の使用時に頻繁に取得するものの、水補正データはＸ線ＣＴ装置のメインテナンス時など或る期間を置いて取得している。
【特許文献１】特開２００７−１３５７４９号公報
【発明の開示】
【発明が解決しようとする課題】
【０００７】
ところで、Ｘ線ＣＴ装置において、ファントムを用いてＸ線の検出感度を補正するための水補正データを得る場合は、従来は図７、図８に示すように、水または樹脂製のファントムを、架台の回転中心に設置して行っていた。ここで、図７はＸ線ＣＴ装置におけるファントムの設置状況を模式的に説明した図であって、（ａ）は正面図、（ｂ）は側面図である。図中符号１０１はＸ線ＣＴ装置の架台、１０２はＸ線管、１０３はＸ線検出器、１０４はファントム、１０５は架台開口部、１０６はファントムを支持する支持体を示している。そして、Ｘ線管１０２およびＸ線検出器１０３は、図示しない回転部に支持されていて、矢印方向へ架台開口部１０５の周りを回転する。
【０００８】
また図８は、Ｘ線管１０２およびＸ線検出器１０３の回転方向の視野（ＦＯＶ）とファントム１０４の大きさとの関係を示したものであり、図７と同一部分には同一符号を付して示してある。なお図８において符号Ｏは、Ｘ線管１０２およびＸ線検出器１０３を支持する回転部の回転中心である。
【０００９】
これらの図から明らかなように、ファントム１０４は回転部の回転中心Ｏに位置するように支持体１０６に支持して固定される。このファントム１０４の大きさは、Ｘ線管１０２およびＸ線検出器１０３の回転方向（チャンネル方向・・図７（ａ）参照）については、架台開口部１０５に置かれる被検体の撮影領域（ＦＯＶ）と同じかそれ以上の直径のものとなり、被検体の体軸方向（スライス方向・・図７（ｂ）参照）については、撮影領域かそれ以上の長さとなる円筒形をしたものである。
【００１０】
従来のマルチスライスＸ線ＣＴ装置におけるＸ線検出器の大きさは、スライス方向について最大４０ｍｍ程度の長さであったが、近時、例えば２５６スライスの同時撮影を可能とするワイド検出器搭載Ｘ線ＣＴ装置が研究されており、この場合のＸ線検出器の長さは１００ｍｍ以上となって、従来の２．５倍以上にもなる。さらに大口径Ｘ線ＣＴ装置として、チャンネル方向の視野（ＦＯＶ）を従来の５００ｍｍ程度に対して１．２〜１．４倍程度に広げたものが実用化されるようになっている。なお、本明細書において「撮影領域」と「視野」とは同じ意味で用いている。
【００１１】
従って、このような大型のＸ線検出器を持つ大口径、大視野Ｘ線ＣＴ装置について、補正データを得るために使用するファントムとしては、チャンネル方向つまりアキシャル方向の視野を直径とし、スライス方向の視野を長さとする円筒形となる。従って、大口径Ｘ線ＣＴ装置の場合、ファントムの体積および重量はチャンネル方向視野の二乗に比例して従来の１．４４〜１．９６倍となる。また、ワイド検出器搭載のＸ線ＣＴ装置の場合、スライス方向の長さは従来の２．５倍以上の体積をもつものとなるので、これに比例して重量も増大する。このように、ファントムが大型化、大重量化することに伴い、このファントムをＸ線ＣＴ装置の撮影部中心に設置するための作業負担が増大するとともに、ファントムを支持するための支持体を強固なものとしなければならないという困難な問題が生ずることになる。
【００１２】
加えて、チャンネル方向にファントムが大型化するのに伴い、ファントムを透過してＸ線検出器に入るＸ線の強度が弱くなってしまうため、補正データのＳ／Ｎが低下してしまうという問題も生ずることになる。
【００１３】
本発明は、このような問題を解決するためになされたものである。
【課題を解決するための手段】
【００１４】
上述の課題を解決するため、請求項１に記載の発明は、架台開口部を介して対向配置したＸ線発生手段とＸ線検出手段とを、前記架台開口部の周囲に回転させて、チャンネル方向およびスライス方向の多数の投影データを得るＸ線ＣＴ装置において、前記Ｘ線発生手段のＸ線照射口側に、このＸ線発生手段と一体的に回転するように、検出器補正データ収集用のファントムを取り付けるための取り付け手段を設けたことを特徴とする。
【００１５】
また、請求項２に記載の発明は、請求項１に記載のＸ線ＣＴ装置において、前記検出器補正データ収集用のファントムは、前記架台開口部に突出するように前記Ｘ線発生手段のＸ線照射口側に取り付けられることを特徴とする。
【００１６】
また、請求項３に記載の発明は、請求項１および請求項２のいずれか１項に記載のＸ線ＣＴ装置において、前記検出器補正データ収集用のファントムは、前記取り付け手段に着脱自在に取り付けられることを特徴とする。
【００１７】
また、請求項４に記載の発明は、架台開口部を介して対向配置したＸ線発生手段とＸ線検出手段とを、前記架台開口部の周囲に回転させて、チャンネル方向およびスライス方向の多数の投影データを得るＸ線ＣＴ装置における、前記Ｘ線検出手段の感度補正を行うための検出器補正データを収集する方法であって、前記Ｘ線発生手段のＸ線照射口側近傍に、前記架台開口部に突出するように前記検出器補正データ収集用のファントムを取り付け、このファントムを前記Ｘ線発生手段と共に回転させながら、前記Ｘ線発生手段から発生し前記ファントムを透過したＸ線を前記Ｘ線検出手段によって検出することを特徴とする。
【００１８】
また、請求項５に記載の発明は、架台開口部を介して対向配置したＸ線発生手段とＸ線検出手段とを、前記架台開口部の周囲に回転させて、チャンネル方向およびスライス方向の多数の投影データを得るＸ線ＣＴ装置における、前記Ｘ線検出手段の感度補正を行うための検出器補正データを収集する方法であって、前記Ｘ線発生手段と前記Ｘ線検出手段とを対向配置した架台開口部の回転中心または、回転中心よりも前記Ｘ線発生手段側に取り付けた検出器補正データ収集用のファントムを介して、前記Ｘ線発生手段および前記Ｘ線検出手段を所定位置に停止させた状態で所定ビュー方向の水補正データを得る第１の補正データ取得段階と、前記検出器補正データ収集用のファントムを設置しない状態で前記Ｘ線発生手段および前記Ｘ線検出手段を所定位置に停止させた状態で所定ビュー方向の空気補正データを得る第２の補正データ取得段階と、前記検出器補正データ収集用のファントムを設置しない状態で前記Ｘ線発生手段および前記Ｘ線検出手段を回転させながら全てのビュー方向の空気補正データを得る第３の補正データ取得段階と、前記第２の補正データ取得段階によって得た空気補正データと前記第３の補正データ取得段階によって得た空気補正データとの比を、前記第１の補正データ取得段階によって得た水補正データに乗じて、全てのビュー方向の水補正データを得る段階とから成ることを特徴とする。
【発明の効果】
【００１９】
上記課題を解決するための手段の項にも示したとおり、本発明の特許請求の範囲に記載する各請求項の発明によれば、次のような効果を奏する。
【００２０】
請求項１に記載の発明によれば、検出器補正データ収集用のファントムをＸ線発生手段のＸ線照射口側に取り付けるようにしたので、撮影領域の回転中心にファントムを設置する場合に比べて、ファントムの大きさを小型化し、重量も軽量化される。そのため、ファントム設置時の作業負担が軽減され、水補正データの収集が容易となる。また、収集する補正データのＳ／Ｎが高められる。
【００２１】
請求項２に記載の発明によれば、Ｘ線ＣＴ装置の架台内に配置されている各種機器や構造物に何ら影響を与えることなく、ファントムをＸ線発生手段の近傍に配置することができる。また、被検体の撮影部位に応じた大きさの各種ファントムを設置したり交換したりする作業が容易となる。
【００２２】
請求項３に記載の発明によれば、被検体の撮影部位に応じた大きさの各種ファントムを設置したり交換したりする作業が極めて容易となる。
【００２３】
請求項４に記載の発明によれば、撮影領域の回転中心にファントムを設置する場合に比べて、使用するファントムを小型化、軽量化することができる。そのため、ファントム設置時の作業負担が軽減され、水補正データの収集が容易となるとともに、大口径、大視野Ｘ線ＣＴ装置における検出器補正データの収集が容易になり、再構成される画像の品質向上にも寄与することができる。
【００２４】
請求項５に記載の発明によれば、水補正データを、或るビュー方向について１度収集すれば、その後は日常実施する空気補正データに基づき全ビュー方向の水補正データを得ることができるので、検出器補正データの収集が極めて容易になり、Ｘ線ＣＴ装置の維持、管理を効率化することができる。
【発明を実施するための最良の形態】
【００２５】
以下、本発明に係るＸ線ＣＴ装置およびＸ線ＣＴ装置における検出器補正データの収集方法の実施例について、図１ないし図６を参照して詳細に説明する。なお、これらの図において、同一部分には同一符号を付して示してある。
【００２６】
先ず、図１および図２を参照して、Ｘ線ＣＴ装置の概略について説明する。ここで、図１はＸ線ＣＴ装置の概略構成を示した外観図であり、図２は概略的な系統図である。
【００２７】
Ｘ線ＣＴ装置は、固定架台１と、固定架台１の前面に配置される寝台２と、固定架台１および寝台２を操作し、かつ、Ｘ線ＣＴ装置を構成する各ユニットを有機的に制御する操作卓３から構成されている。固定架台１の略中心部には、撮影部となる架台開口部４が形成されている。また、寝台２の上面には、被検体Ｐの載置される天板５が設けられている。寝台２の高さは、操作卓３の操作によって適宜調節され、同じく天板５も固定架台１側へスライドさせられる。よって、撮影時には、天板５に載置された状態で被検体が、固定架台１の架台開口部４へ送り込まれる。
【００２８】
操作卓３上には、キーボードを始めマウスやトラックボール、ジョイスティックなどのポインティングデバイスを備えた入力器６やモニタ７が配置され、操作卓３内には後述する制御部２０が収納されている。
【００２９】
図２に示すように、固定架台１内には、この固定架台１に回転可能に支持された回転架台１３が備えられている。回転架台１３には、天板５に載置されて架台開口部４に位置する被検体Ｐを間にして、Ｘ線管１１とＸ線検出器１２とが対向するように固定されている。なお、Ｘ線管１１の焦点からはコーン状（円錐状）のＸ線ビームが照射されるが、Ｘ線の照射口には図示しないスリットが設けられ、コーン状のＸ線ビームを所要の大きさに整形して、扇状のＸ線ビームとして被検体Ｐへ照射される。そして、被検体Ｐを透過したＸ線は、Ｘ線検出器１２で検出される。
【００３０】
なおＸ線検出器１２は、多数の検出素子を一列に配列したものを幅方向へ複数列配列して二次元状に形成したものとなっており、最近では、一列に８００〜１０００個（チャンネル）配列したＸ線検出素子を、１００列以上配列して構成した、所謂ワイド検出器を採用したＸ線ＣＴ装置が研究されている。
【００３１】
このＸ線管１１とＸ線検出器１２とは、回転架台１３に固定されていて回転架台１３とともに被検体Ｐの周りに連続回転される。この回転架台１３は、回転駆動部１４によって制御部２０から供給される駆動制御信号に基づき駆動される。なお、寝台２には寝台制御部１５が設けられており、制御部２０から供給される寝台制御信号に基づき、例えば、天板５を所望のスライス位置へと所定量ずつ間欠的に移動させ、或いは、所定のスキャン範囲にわたって連続的に移動させる。
【００３２】
また、回転架台１３に固定されているＸ線管１１は、高電圧発生装置１６に接続されており、この高電圧発生装置１６は、制御部２０から供給されるＸ線制御信号に基づき、Ｘ線管１１に供給する管電流、管電圧などを決定し、これにより所定のタイミングでＸ線を発生させる。
【００３３】
さらに、回転架台１３に固定されているＸ線検出器１２には、データ収集システム（data  acquisition  system；以下、ＤＡＳと略称する。）１７が接続されている。このＤＡＳ１７は、Ｘ線の発生に関連するタイミングで、制御部２０から供給されるデータ収集制御信号に基づき、Ｘ線検出器１２から得られるＸ線パス毎のＸ線透過率を反映した投影データを収集するとともに、収集された投影データを画像再構成処理のために制御部２０へ送る。なお、図示は省略したが、ＤＡＳ１７は、Ｘ線検出器１２の各Ｘ線検出素子からの出力を時間的に積分する積分器や、積分器の出力をデジタル信号に変換するＡ／Ｄコンバータなどから構成されている。
【００３４】
次に、このようなＸ線ＣＴ装置において、本発明の主要部となるファントムを用いたＸ線検出器１２の感度補正データ（水補正データ）の取得について説明する。
【００３５】
既に図７、図８を参照して述べたように、従来は、架台開口部１０５の中心にファントム１０４を固定するように設置し、その周りにＸ線管１０２とＸ線検出器１０３とを回転させながら水補正データを取得していた。しかしながら、１００列を超えるようなワイド検出器を採用した体軸方向に大視野のＸ線ＣＴ装置、またはアキシャル方向の撮影範囲が従来の１．２倍以上の大口径のＸ線ＣＴ装置では、撮影領域（ＦＯＶ）をカバーするためのファントムとしては極めて大形のものとなる。そこで本発明では、大口径、または体軸方向に大視野のＸ線ＣＴ装置であっても、小型のファントムを用いて水補正データを取得できるようにしたものである。
【実施例１】
【００３６】
図３は、本発明に係るＸ線ＣＴ装置およびＸ線ＣＴ装置における検出器補正データの収集方法の一実施例を説明するために示した模式図であって、図３（ａ）はＸ線ＣＴ装置の固定架台１側を見た正面図、図３（ｂ）はその側面図である。ここで、図３に符号４０を付して示したものは、水補正データを収集する際に使用するファントムであり、このファントム４０は、チャンネル方向、スライス方向の撮影領域内をカバーする位置に、できるだけＸ線管１１に近づけてＸ線管１１に固定して設けるものである。なお、Ｘ線管１１は通常外囲器に保持されＸ線絞り装置と一体的に回転架台１３に設けられているので、ここでは、外囲器やＸ線絞り装置を含めてＸ線管装置１１と称するものとする。
【００３７】
そこで、Ｘ線管装置１１に後述するファントム４０を支持するための支持機構３０を設ける。そして、この支持機構３０に、保持器４１に保持されたファントム４０を、架台開口部４側から装着できるようにする。なお、架台開口部４は円筒形の空間であり、その周面はマイラーなどを材料とするカバーで覆われていて、Ｘ線ＣＴ装置を被検体の診断に供する場合には、固定架台１の内部と架台開口部４とはこのカバーによって遮られている。そのため、水補正データを収集するためのファントム４０を設置する場合には、このカバーを固定架台１から取り外すことになる。
【００３８】
図３に示されているように、ファントム４０は架台開口部４に突出するようにして、支持器４１および支持機構３０を介してＸ線管装置１１に取り付けられる。そして、水補正データを収集する際は、回転架台１３の回転によってファントム４０もＸ線管装置１１やＸ線検出器１２と共に回転することになる。またファントム４０は、回転架台１３の回転中心よりもＸ線管装置１１に近い位置に取り付けられるので、アキシャル方向の撮影範囲の広い大口径検出器を採用したり、または体軸方向に１００列以上配列して大視野とした検出器を採用したりしたＸ線ＣＴ装置の撮影領域（ＦＯＶ）をカバーするものであっても、その大きさを極めて小型化することができ、重量も軽減できる。そのため、Ｘ線管装置１１とともに回転させることも可能となるものである。
【００３９】
例えば、本発明において、従来のような回転架台１３の回転中心Ｏにファントム４０の中心を置いた場合に対して、Ｘ線管１１の焦点とファントム４０の中心との間の距離を１／２にしたとすれば、必要なファントムのサイズは従来のものと比較して、ＸＹＺ方向ともそれぞれ１／２となるので、その体積と重量は１／８になることが分かる。従って、ファントム４０をＸ線管装置１１に取り付けることは容易であり、このファントム４０を回転架台１３とともに回転させることにも何ら支障は生じない。
【００４０】
図４は、本発明において、回転架台１３の回転中心ＯよりもＸ線管装置１１に近い位置に、撮影領域ＦＯＶを全てカバーする大きさのファントム４０を取り付けた場合（実線で示す）と、同じ大きさのファントム４０を回転中心Ｏに位置させた場合（破線で示す）との違いを比較できるように示したものである。この図から明らかなように、同じ大きさのファントム４０を回転中心Ｏに置くと、Ｘ線検出器１２の両端側は水補正データの収集に寄与することができず、その部分のＸ線検出素子などの感度補正を行うことができない。しかし、ファントム４０を回転架台１３の回転中心ＯよりもＸ線管装置１１に近い位置に取り付けることによって、小さなファントムを用いて全てのＸ線検出素子などの感度補正を行うためのデータを得ることができるということがわかる。
【００４１】
このように本発明では、Ｘ線管１１やＸ線検出器１２と一緒にファントム４０も回転しながら、このファントム４０を撮影して水補正データを取得する。そのため、ファントム４０を通るＸ線パスは、回転架台１３の回転に拘わらず固定される。換言すれば、全てのビュー方向についてファントム４０を通るＸ線パスは同じである。従って、ファントム４０の形状は必ずしも円筒形である必要はなく、蒲鉾形など円筒形以外でも差し支えない。また、ファントム４０は小型化されて通過するＸ線パスが短くなるので、ファントムを構成する素材を従来のものよりも密度の高い物質を選択して採用すると良い。ただし、水補正データのＳ／Ｎを良くすることを重視するものとすれば、ファントムの密度を従来と同じかやや小さいものとするのが良い。
【００４２】
なお、Ｘ線管装置１１に設けた支持機構３０に、ファントム４０を保持する保持器４１を装着する手段としては、支持機構３０に保持器４１をねじ止めによって固定したり、あるいは着脱容易な公知のワンタッチ式の着脱機構によって装着したりするようにしてもよい。ファントム４０は、被検体の撮影部位に応じて何種類かを用意しておく必要があり、撮影部位ごとにファントム４０を交換して水補正データを得ることになるので、着脱容易な着脱機構を採用するのが作業負担を軽減する上で効果的である。
【実施例２】
【００４３】
次に、本発明の実施例２について説明する。
【００４４】
実施例２は、回転架台１３を回転させず停止した状態で、ファントム４０を用いて或るビュー方向の水補正データを得、この回転架台１３を固定した状態で得た水補正データについて、空気補正データを利用して架台の回転による影響を補正することによって、回転架台１３を回転して得たと同様の全てのビュー方向の水補正データを得ようとするものである。なお、架台の回転による影響とは、回転架台１３の回転に伴い、Ｘ線管１１の焦点が微妙に動いたり、固定部が撓んだりすることなどによって生ずる影響のことである。
【００４５】
図５は実施例２において、水補正データを得るための過程を示したフローチャートである。先ずステップ１として、Ｘ線管装置１１に設けた支持機構３０に、保持器４１を介してファントム４０を装着する。このファントム４０とその装着手段は実施例１の場合と同様であり、できるだけＸ線管１１に近づけてＸ線管１１に固定されるように設ける。次にこの状態で回転架台１３を回転させず停止したままＸ線を曝射して、所定ビュー方向の水補正データ（すなわち、架台固定時の水補正データ）を取得する（ステップ２）。
【００４６】
架台固定時の水補正デーが取得できたら、ファントム４０をＸ線管装置１１から取り外す（ステップ３）。そしてステップ４として、回転架台１３を回転させず停止したままＸ線を曝射して所定ビュー方向の空気補正データ（すなわち、架台固定時の空気補正データ）を取得する。架台固定時の空気補正デーが取得できたら、続いてステップ５として、回転架台１３を回転させながら、全てのビュー方向についての空気補正データ（すなわち、架台回転時の空気補正データ）を取得する。
【００４７】
そして、全てのデータを取得し終えたら、ステップ６として、演算式（１）によって、架台回転時の空気補正データと架台固定時の空気補正データの比を架台固定時の水補正データに乗じて、全てのビュー方向についての水補正データ（すなわち、架台回転時の水補正データ）を求める。
【００４８】
すなわち、
ＲＷａｔ＝ＦＷａｔ＊ＲＡｉｒ／ＦＡｉｒ    ・・・（１）
ここで、
ＲＷａｔは、架台回転時の水補正データ
ＦＷａｔは、架台固定時の水補正データ
ＲＡｉｒは、架台回転時の空気補正データ
ＦＡｉｒは、架台固定時の空気補正データ
である。
【００４９】
これら架台固定時の水補正データ、架台固定時の空気補正データおよび架台回転時の空気補正データは、それぞれ制御部２０の所定のメモリに保存され、演算結果としての架台回転時の水補正データも所定のメモリに保存され、診断画像収集時に、従来から実施されているのと同様に検出器感度を補正するためのデータとして使用される。
【００５０】
なお、実施例２でもファントム４０をできるだけＸ線管１１に近づけてＸ線管１１に固定して設けるものとして説明したが、実施例２では当然ファントム４０を設置するものの、水補正データは回転架台１３を回転させず固定状態で１度データ収集をするだけなので、従来と同様に、回転架台１３の回転中心Ｏに位置させて、撮影領域ＦＯＶをカバーする大きさのファントム４０を、架台開口部４に固定して設置しても良い。この場合、図６に示すように、Ｘ線検出器１２のチャンネル方向に細長い断面が楕円形をしたファントム４５を使用するものとすれば、チャンネル方向の視野を広げながら体積を減少させて重量も軽減することができるので、ファントム４５の架台開口部４への設置作業の負担を軽減することが可能となる。
【００５１】
以上詳述したように本発明によれば、補正データを得るためのファントムを小型化、軽量化することができ、特に大口径のＸ線ＣＴ装置または体軸方向に大視野のＸ線ＣＴ装置において補正データの取得が容易になるという、顕著な効果を奏する。
【図面の簡単な説明】
【００５２】
【図１】Ｘ線ＣＴ装置の概略構成を示した外観図である。
【図２】Ｘ線ＣＴ装置の概略的な系統図である。
【図３】本発明に係るＸ線ＣＴ装置およびＸ線ＣＴ装置における検出器補正データの収集方法の一実施例を説明するために示した模式図である。（実施例１）
【図４】本発明の効果を説明するために示した説明図である。
【図５】本発明の他の実施例の動作ステップを説明するために示したフローチャートである。（実施例２）
【図６】実施例２の他の態様を説明するために示した説明図である。
【図７】Ｘ線ＣＴ装置におけるファントムの設置状況を模式的に説明した図である。
【図８】Ｘ線管およびＸ線検出器の回転方向の視野とファントムの大きさとの関係を説明した説明図である。
【符号の説明】
【００５３】
１  固定架台
４  架台開口部
１１  Ｘ線管（Ｘ線管装置）
１２  Ｘ線検出器
１３  回転架台
３０  支持機構
４０  ファントム
４１  保持器
ＦＯＶ  撮影領域
【図１】
2009142397.tif 000003
【図２】
2009142397.tif 000004
【図３】
2009142397.tif 000005
【図４】
2009142397.tif 000006
【図５】
2009142397.tif 000007
【図６】
2009142397.tif 000008
【図７】
2009142397.tif 000009
【図８】
2009142397.tif 000010